(57)【特許請求の範囲】
【請求項１】
長手方向に相対向した一対の第１側面と幅方向に相対向した一対の第２側面を有した箱状体で、その下面に吸込口６と吹出口７を有し、前記一方の第１側面に換気口８を有する本体Ａと、
この本体Ａに設けられ羽根車１７と電動モータ１８とケーシング１９を有し、前記吸込口６より空気を吸込んで吹出口７と換気口８に向けて吐出するシロッコファン１６と、
前記本体Ａの吹出口７に設けられた通電することで発熱するヒータ１５と、
前記本体Ａ内に設けられて換気口８のみから空気を排出する第１位置と吹出口７のみから空気を排出する第２位置に移動するダンパー３０
とを備え、
前記吸込口６は、本体Ａの他方の第１側面寄りで、かつ一方の第２側面寄りとし、
前記吹出口７は、本体Ａの一方の第１側面寄りで、かつ他方の第２側面寄りとし、
前記換気口８は、本体Ａの他方の第２側面寄りとし、
前記シロッコファン１６の羽根車１７は、本体Ａの他方の第１側面寄りで、かつ一方の第２側面寄りに位置して前記吸込口６と対向し、この羽根車１７の回転中心１７ａは本体Ａの一方の第２側面寄りとすることで、前記吹出口７、換気口８と羽根車１７の径方向ほぼ半分が幅方向にオーバラップするようにし、
前記シロッコファン１６のケーシング１９における羽根車１７に最も接近した舌部１９ａを羽根車１７の回転中心１７ａよりも本体Ａの側方の第２側面寄りに突出させ、このケーシング１９の舌部１９ａに導風板２０を設けて吹出口７、換気口８に連通する風路２１を形成し、
前記導風板２０は、前記舌部１９ａと連続しかつ本体Ａの一方の第２側面に向けて斜めの舌部寄り部２０ａと、この舌部寄り部２０ａと連続して換気口８まで突出した本体Ａの第２側面と平行の先端部２０ｂでほぼ逆くの字状に折曲していることを特徴とする浴室換気乾燥機。
【請求項２】
前記ダンバー３０を、換気口８と吹出口７より空気を排出する分流位置に移動するようにした請求項１記載の浴室換気乾燥機。
【請求項３】
長手方向に相対向した一対の第１側面と幅方向に相対向した一対の第２側面を有した箱状体の第１本体Ａ１、第２本体Ａ２を長手方向に並設して本体Ａとし、
前記第１本体Ａ１の下面に吸込口６と吹出口７を形成すると共に、その吹出口７に通電することで発熱するヒータ１５を設け、前記第１本体Ａ１に、羽根車１７と電動モータとケーシング１９を有して吸込口６より空気を吸い込んで吹出口７に向けて吐出するシロッコファン１６を設け、
前記吸込口６を第１本体Ａ１の一方の第２側面寄りとすると共に、吹出口７を第１本体Ａ２の他方の第２側面寄りとし、
前記羽根車１７を第１本体Ａ１の一方の第２側面寄りとして吸込口６と対向させ、この羽根車１７の中心を第１本体Ａ１の一方の第２側面寄りとすることで、前記吹出口７と羽根車１７の径方向ほぼ半分が幅方向にオーバーラップするようにし、前記ケーシング１９における羽根車１７に最も接近した舌部１９ａを羽根車１７の回転中心よりも第１本体Ａ１の他方の第２側面寄りに突出させ、この舌部１９ａに導風板２０を設けて吹出口７に連通する風路２１を形成し、
前記導風板２０は、前記舌部１９ａと連続しかつ第１本体Ａ１の一方の第２側面に向けて斜めの舌部寄り部と、この舌部寄り部と連続して吹出口７まで突出した第１本体Ａ１の第２側面と平行の先端部でほぼ逆くの字状に折曲し
前記第２本体Ａ１の下面に吸込口６を形成すると共に、一方の第１側面に換気口８を形成し、この換気口８は第２本体Ａ１の一方の第２側面寄りで、吸込口６は他方の第２側面寄りとし、
前記第２本体Ａ１に、羽根車１７と電動モータとケーシング１９を有して吸込口６より空気を吸い込んで換気口８に向けて吐出するシロッコファン１６を設け、
この羽根車１７を第２本体Ａ２の他方の第２側面寄りとして吸込口６と対向させ、この羽根車１７の中心を第２本体Ａ２の他方の第２側面寄りとすることで、前記換気口８と羽根車１７の径方向ほぼ半分が幅方向にオーバーラップするようにし、
前記ケーシング１９における羽根車１７に最も接近した舌部１９ａを第２本体Ａ２の一方の第２側面寄りに突出させ、この舌部１９ａを導風板２０を設けて換気口８に連通する風路２１を形成し、
前記導風板２０は、前記舌部１９ａと連続しかつ第２本体Ａ２の他方の第２側面に向けて斜めの舌部寄り部と、この舌部寄り部と連続して換気口８まで突出した第２本体Ａ２の第２側面と平行の先端部で、ほぼ逆くの字状に折曲していることを特徴とする浴室換気乾燥機。
【発明の詳細な説明】
【０００１】
【発明の属する技術分野】
本発明は、浴室内を換気したり、乾燥したりなどする浴室換気乾燥機に関する。
【０００２】
【従来の技術】
浴室換気乾燥機としては種々のものが知られている。
例えば、特開昭４９−４３２５４号公報に示すように、吸込口と吹出口と排気口を有する本体に送風機とヒータとダンパーを取付けた浴室換気乾燥機が知られている。
【０００３】
この浴室換気乾燥機であれば、ダンパーで吹出口を閉じた状態で送風機を駆動することにより浴室内の空気が換気口より外部に排出されるので浴室内を換気できる。ダンパーで吹出口を開いた状態で送風機を駆動することにより浴室内の空気を吹出口と換気口に分流して排出されるので浴室内に涼風を送ることができる。前述の状態でヒータに通電すれば浴室内を乾燥して浴室を乾燥室として利用できる。
【０００４】
前述の浴室換気乾燥機としては例えば図１に示すものが知られている。
箱状の本体１００内にシロッコファン１０１を設け、そのシロッコファン１０１の吐出側と連続する風路１０２を設ける。この風路１０２と連続して本体１００に吹出口１０３と換気口１０４を形成してシロッコファン１０１によって吸込口１０５から浴室内の空気を吸込み、風路１０２に吐出するようにする。
前記風路１０２にはシロッコファン１０１が吐出した空気を吹出口１０３又は換気口１０４に送るダンパー１０６を設け、吹出口１０３にヒータ１０７を設けて浴室換気乾燥機としてある。
【０００５】
この浴室換気乾燥機は、ダンパー１０６を切換えてシロッコファン１０１の吐出した空気を換気口１０４に送ることで浴室を換気できるし、ダンパー１０６を切換えてシロッコファン１０１の吐出した空気を吹出口１０３に送れば浴室内の空気を循環でき、この状態でヒータ１０７を発熱すれば暖房できる。
【０００６】
【発明が解決しようとする課題】
前述のように浴室換気乾燥機は浴室内の空気を吸って加熱又は加熱せずに浴室内に吹き出す循環機能と、浴室内の空気を室外に排出する換気機能を有するものである。
また、ヒータの抵抗に打ち勝って吹出口より浴室内に送風したり、ダクトの抵抗に打ち勝って浴室内の空気を室外に排出するためにシロッコファンを用いている。
【０００７】
一方、浴室換気乾燥機の換気・循環風量は通常２００ｍ３  ／ｈ程度必要であり、吹出口１０３（ヒータ１０７の面積）は最低でも１０ｃｍ×１０ｃｍ程度必要である。換気口１０４は直径１０ｃｍの丸ダクトを接続できる大きさが必要である。
これらの性能を満足するためにシロッコファン１０１は直径１３ｃｍ〜１８ｃｍのものが使用されている。
【０００８】
このために、本体１００の幅（Ｈ寸法）は、ほぼ（シロッコファン１０１の直径）＋（吹出口１０３の大きさ）となる。具体的には２３ｃｍ〜２８ｃｍとなる
【０００９】
浴室、特にユニットバスの天井はデザインの多様化、結露水の処理などのために図２に示すように片流れ天井１１０や、図３に示すようにアーチ、円形などの船底天井１１１とすることがある。このような天井では水平部分１１２は壁際の狭い部分となり、浴室換気乾燥機１１３を前述の狭い水平部分１１２に取付けることになる。
【００１０】
しかしながら、前述のように浴室換気乾燥機の本体１００の幅は２３ｃｍ〜２８ｃｍと大きいし、取付フランジ１０８の寸法を加味すると２５ｃｍ〜３１ｃｍとなり、前述の狭い水平部分１１２に取付けできないことがある。
【００１１】
前述のことに鑑み本出願人は幅の小さな図４に示す浴室換気乾燥機を製作した。
この浴室換気乾燥機は基本的構造が図１に示すものと同様であり、幅（Ｈ寸法）を小さくするためにシロッコファン１０１を吹出口１０３、換気口１０４に接近させてあり、この浴室換気乾燥機であれば幅（Ｈ寸法）が小さいから、前述の狭い水平部分１１２に取付けできる。
【００１２】
しかしながら、この浴室換気乾燥機の換気、循環風量を測定したところ、図１に示す従来の浴室換気乾燥機の換気・循環風量よりも少なく、同一の風量を得るためにはシロッコファンを図１に示す従来の浴室換気乾燥機よりも高速回転させる必要があり、騒音が大となってしまった。
【００１３】
本発明は前述の課題を解決できるようにした浴室換気乾燥機を提供することを目的とする。
【００１４】
【課題を解決するための手段】
第１の発明は、長手方向に相対向した一対の第１側面と幅方向に相対向した一対の第２側面を有した箱状体で、その下面に吸込口６と吹出口７を有し、前記一方の第１側面に換気口８を有する本体Ａと、
この本体Ａに設けられ羽根車１７と電動モータ１８とケーシング１９を有し、前記吸込口６より空気を吸込んで吹出口７と換気口８に向けて吐出するシロッコファン１６と、
前記本体Ａの吹出口７に設けられた通電することで発熱するヒータ１５と、
前記本体Ａ内に設けられて換気口８のみから空気を排出する第１位置と吹出口７のみから空気を排出する第２位置に移動するダンパー３０
とを備え、
前記吸込口６は、本体Ａの他方の第１側面寄りで、かつ一方の第２側面寄りとし、
前記吹出口７は、本体Ａの一方の第１側面寄りで、かつ他方の第２側面寄りとし、
前記換気口８は、本体Ａの他方の第２側面寄りとし、
前記シロッコファン１６の羽根車１７は、本体Ａの他方の第１側面寄りで、かつ一方の第２側面寄りに位置して前記吸込口６と対向し、この羽根車１７の回転中心１７ａは本体Ａの一方の第２側面寄りとすることで、前記吹出口７、換気口８と羽根車１７の径方向ほぼ半分が幅方向にオーバラップするようにし、
前記シロッコファン１６のケーシング１９における羽根車１７に最も接近した舌部１９ａを羽根車１７の回転中心１７ａよりも本体Ａの側方の第２側面寄りに突出させ、このケーシング１９の舌部１９ａに導風板２０を設けて吹出口７、換気口８に連通する風路２１を形成し、
前記導風板２０は、前記舌部１９ａと連続しかつ本体Ａの一方の第２側面に向けて斜めの舌部寄り部２０ａと、この舌部寄り部２０ａと連続して換気口８まで突出した本体Ａの第２側面と平行の先端部２０ｂでほぼ逆くの字状に折曲していることを特徴とする浴室換気乾燥機である。
第２の発明は、第１の発明における前記ダンバー３０を、換気口８と吹出口７より空気を排出する分流位置に移動するようにした浴室換気乾燥機である。
第３の発明は、長手方向に相対向した一対の第１側面と幅方向に相対向した一対の第２側面を有した箱状体の第１本体Ａ１、第２本体Ａ２を長手方向に並設して本体Ａとし、
前記第１本体Ａ１の下面に吸込口６と吹出口７を形成すると共に、その吹出口７に通電することで発熱するヒータ１５を設け、前記第１本体Ａ１に、羽根車１７と電動モータとケーシング１９を有して吸込口６より空気を吸い込んで吹出口７に向けて吐出するシロッコファン１６を設け、
前記吸込口６を第１本体Ａ１の一方の第２側面寄りとすると共に、吹出口７を第１本体Ａ２の他方の第２側面寄りとし、
前記羽根車１７を第１本体Ａ１の一方の第２側面寄りとして吸込口６と対向させ、この羽根車１７の中心を第１本体Ａ１の一方の第２側面寄りとすることで、前記吹出口７と羽根車１７の径方向ほぼ半分が幅方向にオーバーラップするようにし、前記ケーシング１９における羽根車１７に最も接近した舌部１９ａを羽根車１７の回転中心よりも第１本体Ａ１の他方の第２側面寄りに突出させ、この舌部１９ａに導風板２０を設けて吹出口７に連通する風路２１を形成し、
前記導風板２０は、前記舌部１９ａと連続しかつ第１本体Ａ１の一方の第２側面に向けて斜めの舌部寄り部と、この舌部寄り部と連続して吹出口７まで突出した第１本体Ａ１の第２側面と平行の先端部でほぼ逆くの字状に折曲し
前記第２本体Ａ１の下面に吸込口６を形成すると共に、一方の第１側面に換気口８を形成し、この換気口８は第２本体Ａ１の一方の第２側面寄りで、吸込口６は他方の第２側面寄りとし、
前記第２本体Ａ１に、羽根車１７と電動モータとケーシング１９を有して吸込口６より空気を吸い込んで換気口８に向けて吐出するシロッコファン１６を設け、
この羽根車１７を第２本体Ａ２の他方の第２側面寄りとして吸込口６と対向させ、この羽根車１７の中心を第２本体Ａ２の他方の第２側面寄りとすることで、前記換気口８と羽根車１７の径方向ほぼ半分が幅方向にオーバーラップするようにし、
前記ケーシング１９における羽根車１７に最も接近した舌部１９ａを第２本体Ａ２の一方の第２側面寄りに突出させ、この舌部１９ａを導風板２０を設けて換気口８に連通する風路２１を形成し、
前記導風板２０は、前記舌部１９ａと連続しかつ第２本体Ａ２の他方の第２側面に向けて斜めの舌部寄り部と、この舌部寄り部と連続して換気口８まで突出した第２本体Ａ２の第２側面と平行の先端部で、ほぼ逆くの字状に折曲していることを特徴とする浴室換気乾燥機である。
【００１５】
【作    用】
第１の発明によれば、ダンバー３０を第１位置、第２位置とすることで１つのシロッコファン１６によって浴室内の空気を室外に排出して換気したり、浴室内の空気を循環することができる。
【００１６】
また、吹出口７、換気口８と羽根車１７の径方向ほぼ半分が幅方向にオーバラップすることによって幅を小さくできるから、浴室天井の狭い水平部分に取付けできる。
【００１７】
また、シロッコファン１６のケーシング１９の舌部１９ａは羽根車１７の回転中心１７ａよりも本体Ａ１の他方の第２側面寄りに突出しているし、その舌部１９ａと連続してほぼ逆くの字状の導風板２０を設けて風路２１を形成したことによって羽根風１７によって吐出される空気が効率良く吹出口７、換気口８に送られるから、羽根車１７を高速回転せずに必要な風量が得られ、騒音を低減できる。
【００１８】
第２の発明によれば、ダンバー３０を分流位置とすることで吹出口７と換気口８に空気を排出できるから、浴室内を乾燥したり、涼風を送り込みできる。
【００１９】
第３の発明によれば、第１本体Ａ１  に設けたシロッコファン１６を駆動することで浴室内の空気を循環できるし、第２本体Ａ２  に設けたシロッコファン１６を駆動することで浴室内の空気を室外に排出して換気できる。
これにより、ダンパーを切換える操作が不要となる。
【００２０】
また、吹出口７、換気口８と羽根車１７の径方向ほぼ半分が幅方向にオーバラップすることによって幅を小さくできるから、浴室天井の狭い水平部分に取付けできる。
【００２１】
また、各シロッコファン１６のケーシング１９の舌部１９ａは羽根車１７の回転中心よりも第２本体Ａ２の一方、他方の第２側面寄りに突出しているし、その舌部１９ａと連続してほぼ逆くの字状の導風板２０を設けて風路２１を形成したことによって羽根風１７によって吐出される空気が効率良く吹出口７、換気口８に送られるから、羽根車１７を高速回転せずに必要な風量が得られ、騒音を低減できる。
【００２２】
【発明の実施の形態】
図５と図６と図７に示すように、本体Ａは次のように構成してある。長手方向に相対向した一対の第１側面板１と、幅方向に相対向した一対の第２側面板２と、天板３とにより下面を開口した箱体４としてある。この箱体４の内面下部寄りに仕切板５が天板３と平行に取付けてある。この仕切板５にはベルマウスと呼ばれる吸込口６と吹出口７が形成してある。前記一方の第１側面板１には換気口８が形成してある。
【００２３】
このようであるから、本体Ａは箱状体となり、その下面に吸込口６と吹出口７を有し、側面に換気口８を有するものとなっている。
【００２４】
前記第１側面板１と第２側面板２の下縁部は折り曲げられて取付片１ａ，２ａとしてある。この各取付片１ａ，２ａを図５に示すように、浴室の天井９を取付ける取付棧１０に木ネジ１１で固着して本体Ａを浴室の天井９に取付けてある。
これにより、吸込口６と吹出口７が浴室内に開口している。
【００２５】
前記浴室の天井９には化粧枠１２が取付けてあり、この化粧枠１２で本体Ａを浴室内から見えないようにしてある。この化粧枠１２には吸込口６と対向した吸込用通気部１３と吹出口７と対向した吹出用通気部１４が形成してある。
【００２６】
前記本体Ａの吹出口７には通電することで発熱するヒータ１５が取付けてある。前記本体Ａにはシロッコファン１６が取付けてある。このシロッコファン１６は羽根車１７と、この羽根車１７を回転する電動モータ１８と、羽根車１７のケーシング１９より構成してある。
【００２７】
前記シロッコファン１６の羽根車１７は吸込口６と対向し、前記電動モータ１８は天板３に取付けてある。この電動モータ１８を駆動することで羽根車１７が回転して吸込口６より空気を吸込んで吹出口７、換気口８に向けて吐出するようにしてある。
【００２８】
前記シロッコファン１６は本体Ａの一方の第２側面板２寄りに設けてあり、吹出口７、換気口８は本体Ａの他方の第２側面板２寄りに設けてあると共に、羽根車１７の回転中心１７ａが吹出口７、換気口８に著しく接近して羽根車１７の径方向ほぼ半分が吹出口７、換気口８と対向している。
【００２９】
これによって、吹出口７、換気口８と羽根車１７の径方向ほぼ半分が幅方向にオーバラップし、幅（Ｈ寸法）が小さくなる。したがって、図２、図３に示す天井における狭い水平部分１１２に取付けることが可能となる。
【００３０】
前記羽根車１７のケーシング１９は羽根車１７の周囲に沿ったほぼ円弧状となり、このケーシング１９の羽根車１７に最も接近した舌部１９ａは羽根車１７の回転中心１７ａよりも吹出口７、換気口８寄りに位置している。この舌部１９ａと連続して導風板２０が一体的に設けてあり、その導風板２０は舌部１９ａと連続しかつ一方の第２側面板２に向けて斜めとなった舌部寄り部２０ａと、この舌部寄り部２０ａと連続して換気口８まで突出した第２側面板２と平行の先端部２０ｂとでほぼ逆くの字状に折曲している。
【００３１】
前記舌部１９ａの位置は、舌部１９ａと羽根車１７の回転中心１７ａを結ぶ直線ａと、羽根車１７の回転中心１７ａを通り第２側面板２と平行なる吐出方向の直線ｂとの角度αが１５〜４５°となるようにしてある。
【００３２】
前記舌部１９ａと連続した導風板２０の舌部寄り部分２０ａと、羽根車１７の回転中心１７ａを中心とする舌部１９ａを通る仮想円ｃの接線ｄとの角度βは０度以上としてある。
【００３３】
前記導風板２０と他方の第２側面板２と天板３とによりシロッコファン１６の風路２１を構成している。前記吹出口７と換気口８は風路２１に開口している。
【００３４】
前記天板３の換気口８寄り部分における一方の第２側面板２と導風板２０との間の部分には切欠部３ａが形成してあり、一方の第２側面板２と導風板２０の換気口８寄り部分は上方に向けて斜めとなり、この斜めの部分と天板３とに亘って補助板２２が取付けてある。
【００３５】
これにより、換気口８の上下方向寸法を大きくして横方向寸法と略同一としてある。その換気口８の外側開口縁にダクト接手２３が取付けてあり、このダクト接手２３にダクト２４が連結してある。
このようにすることで本体Ａの全高を高くせずに換気口８の開口面積を大きくできる。
【００３６】
前記一方の第２側面板２と導風板２０との間に（前記風路２１）にダンパー３０がダンパー軸３１で上下方向に揺動自在に取付けてある。このダンパー軸３１は減速機３２を介して電動モータ３３により回転される。
【００３７】
前記ダンパー３０は図５の実線で示す分流位置ａと一点鎖線で示す第１位置ｂと二点鎖線で示す第２位置ｃとに揺動する。例えば、電動モータ３３をパルスモータとし、そのパルスモータを設定した回転数だけ回転することでダンパー軸３１が所定の回転角度だけ回転してダンパー３０を前記各位置に揺動して停止する。
なお、同期モータに減速ギヤを組み込んだものとし、出力軸３１の３位置の角度で位置検出とロック機構を組込んだモータを用いてダンパー３０を前各位置に揺動して停止するようにしても良い。
【００３８】
前記ダンパー３０が分流位置ａの時には風路２１が吹出口７と換気口８に開口する。ダンパー３０が第１位置ｂの時には風路２１と換気口８が開口し、風路２０と吹出口７が閉じる。ダンパー３０が第２位置ｃの時には風路２１が吹出口７に開口し、風路２１と換気口８が閉じる。
【００３９】
前記ダンパー３０を第１位置ｂ、第２位置ｃとして図１に示す従来の浴室換気乾燥機と同一速度でシロッコファン１６を駆動して吹出口７、換気口８の風量を測定したところ、図１に示す浴室換気乾燥機と同様な風量が得られた。比較例として図４に示す浴室換気乾燥機のシロッコファン１０１を同一速度で駆動して吹出口１０３、換気口１０４の風量を測定したところ、図１に示す従来の浴室換気乾燥機の風量よりも減少した。
【００４０】
前述の理由については、図４に示すシロッコファン１０１であるとケーシング１０１ａの舌部１０１ｂが回転中心１０１ｃと略同一位置であるので、吐出した空気の一部分が舌部１０１ｂより再びケーシング１０１ａに向けて流れるために風量が減少する。図６に示す本発明に係るシロッコファンであるとケーシング１９の舌部１９ａが回転中心１７ａよりも吐出側に突出しているために吐出した空気が導風板２０で風路２１に流れるために風量が減少しないと推定される。
【００４１】
前記ヒータ１５とシロッコファン１６の電動モータ１８とダンパー用の電動モータ３３は図８に示すように制御部４０によって通電制御され、その制御部４０には操作スイッチ４１から各運転モード信号が入力される。この操作スイッチ４１は乾燥スイッチ４２、暖房スイッチ４３、換気スイッチ４４、涼風スイッチ４５、停止スイッチ４６を備えている。
【００４２】
次に動作を説明する。
（浴室内を乾燥する動作）
乾燥スイッチ４２を操作して制御部４０に乾燥運転モード信号を入力する。
制御部４０よりヒータ１５に通電し、電動モータ１８に通電してシロッコファン１６を回転し、電動モータ３３に通電してダンパー３０を分流位置ａとする。
【００４３】
これにより、浴室内の空気を吸込口６より吸込んで風路２１に吐出し、その一部の空気が換気口８より外部に排出されるから浴室内の高湿度の空気が外部に排出される。残りの空気が吹出口７よりヒータ１５を通して浴室内に吹き出しされる。この時、浴室内に吹き出しされる空気はヒータ１５で加熱される。
したがって、浴室内を加温しながら浴室内の高湿度の空気を外部に排出して浴室内を乾燥できるので、浴室内を乾燥室として利用できる。
【００４４】
（浴室内を暖房する動作）
暖房スイッチ４３を操作して制御部４０に暖房運転モード信号を入力する。
制御部４０よりヒータ１５に通電し、電動モータ１８に通電してシロッコファン１６を回転し、電動モータ３３に通電してダンパー３０を第２位置ｃとする。
【００４５】
これにより、浴室内の空気を吸込口６より吸込んで風路２１に吐出し、その空気が吹出口７よりヒータ１５を通して浴室内に全量が吹き出しされ、吸込んだ空気の一部が換気口８より外部に排出されることがない。この時、浴室内に吹き出しされる空気は、ヒータ１５で加熱される。
したがって、浴室内を効率良く暖房できる。
【００４６】
（浴室内を換気する動作）
換気スイッチ４４を操作して制御部４０に換気運転モード信号を入力する。
制御部４０より電動モータ１８に通電してシロッコファン１６を回転し、電動モータ３３に通電してダンパー３０を第１位置ｂとする。
【００４７】
これにより、浴室内の空気を吸込口６より吸込んで風路２１に吐出し、その空気が換気口８より外部に全量が排出され、その吸込んだ空気が浴室内に吹き出されることがない。
したがって、浴室内を効率良く換気できる。この場合にシロッコファン１６の電動モータ１８を高速・低速に切換えて換気を強と弱の２種類に切換えるようにしても良い。
【００４８】
（浴室内に涼風を送る動作）
涼風スイッチ４５を操作して制御部４０に涼風運転モード信号を入力する。
制御部４０より電動モータ１８に通電してシロッコファン１６を回転し、電動モータ３３に通電してダンパー３０を分流位置ａとする。
【００４９】
これにより、浴室内の空気を吸込口６より吸込んで風路２１に吐出し、その一部の空気が換気口８より外部に排出され、残りの空気が吹出口７より浴室内に吹き出しされる。
したがって、換気をしながら浴室内の空気を循環できるので、浴室内に涼風を送り込むことができ、夏季の浴室内を浴室内使用者にとって快適な状態とすることができる。
【００５０】
以上の各運転モードによる運転は停止スイッチ４６を操作して制御部４０に停止信号を入力することで停止する。
【００５１】
以上のように、ダンパー３０を分流位置としてヒータ１５を発熱させた状態でシロッコファン１６を回転すると、浴室内の空気を吸込んで、その一部を換気口８より外部に排出すると共に、残りの空気をヒータ１５で加熱して浴室内に吹き出す。
したがって、浴室内を加温しながら浴室内の高湿度となった空気を外部を排出して浴室内を効率良く乾燥できる。
ダンパー３０を第２位置としてヒータ１５を発熱させた状態でシロッコファン１６を回転すると、浴室内の空気を吸込んで、その空気をヒータ１５で加熱して吹出口７より浴室内に全量を吹き出す。
したがって、浴室内を効率良く暖房できる。
ダンパー３０を第１位置としてヒータ１５を発熱させない状態でシロッコファン１６を回転すると、浴室内の空気を吸込んで換気口８より全量を外部に排出する。
したがって、浴室内を効率良く換気できる。
ダンパ３０を分流位置としてヒータ１５を発熱させない状態でシロッコファン１６を回転すると、浴室内の空気を吸込んで、その空気の一部を換気口８より外部に排出し、残りの空気を吹出口７より浴室内に吹き出す。
したがって、換気しながら浴室内の空気を循環して浴室内に涼風を送り込むことができ、夏季の浴室内を浴室使用者にとって快適な状態とすることができる。以上の様であるから、浴室内を乾燥、暖房、換気できるし、浴室内に涼風を送り込むことができ、しかも１つのシロッコファン１６と電動モータ１８を用いているだけであるから、小形、重量小で安価な浴室換気乾燥機となる。
【００５２】
次に本発明の第２実施例を説明する。
図９に示すように、本体Ａを第１本体Ａ１  と第２本体Ａ２  を並設したものとし、第１本体Ａ１  内にシロッコファン１６を設けると吹出口７を形成して循環専用とする。第２本体Ａ２  内にシロッコファン１６を設けると換気口８を形成して換気専用とする。
【００５３】
【発明の効果】
第１の発明によれば、ダンバー３０を第１位置、第２位置とすることで１つのシロッコファン１６によって浴室内の空気を室外に排出して換気したり、浴室内の空気を循環することができる。
【００５４】
また、吹出口７、換気口８と羽根車１７の径方向ほぼ半分が幅方向にオーバラップすることによって幅を小さくできるから、浴室天井の狭い水平部分に取付けできる。
【００５５】
また、シロッコファン１６のケーシング１９の舌部１９ａは羽根車１７の回転中心１７ａよりも本体Ａ１の他方の第２側面寄りに突出しているし、その舌部１９ａと連続してほぼ逆くの字状の導風板２０を設けて風路２１を形成したことによって羽根風１７によって吐出される空気が効率良く吹出口７、換気口８に送られるから、羽根車１７を高速回転せずに必要な風量が得られ、騒音を低減できる。
【００５６】
第２の発明によれば、ダンバー３０を分流位置とすることで吹出口７と換気口８に空気を排出できるから、浴室内を乾燥したり、涼風を送り込みできる。
【００５７】
第３の発明によれば、第１本体Ａ１  に設けたシロッコファン１６を駆動することで浴室内の空気を循環できるし、第２本体Ａ２  に設けたシロッコファン１６を駆動することで浴室内の空気を室外に排出して換気できる。
【００５８】
これにより、ダンパーを切換える操作が不要となる。
【００５９】
また、吹出口７、換気口８と羽根車１７の径方向ほぼ半分が幅方向にオーバラップすることによって幅を小さくできるから、浴室天井の狭い水平部分に取付けできる。
【００６０】
また、各シロッコファン１６のケーシング１９の舌部１９ａは羽根車１７の回転中心よりも第２本体Ａ２の一方、他方の第２側面寄りに突出しているし、その舌部１９ａと連続してほぼ逆くの字状の導風板２０を設けて風路２１を形成したことによって羽根風１７によって吐出される空気が効率良く吹出口７、換気口８に送られるから、羽根車１７を高速回転せずに必要な風量が得られ、騒音を低減できる。
【図面の簡単な説明】
【図１】従来の浴室換気乾燥機の横断面図である。
【図２】浴室の天井部分を示す説明図である。
【図３】浴室の天井部分を示す説明図である。
【図４】幅を小さくした浴室換気乾燥機の横断面図である。
【図５】本発明の実施例を示す取付け状態の縦断面図である。
【図６】図５のＢ−Ｂ断面図である。
【図７】浴室換気乾燥機の斜視図である。
【図８】制御回路図である。
【図９】本発明の第２実施例を示す横断面図である。
【符号の説明】
Ａ…本体、４…箱体、５…仕切板、６…吸込口、７…吹出口、８…換気口、１５…ヒータ、１６…シロッコファン、１７…羽根車、１８…電動モータ、１９…ケーシング、１９ａ…舌部、２０…導風板、２１…風路、３０…ダンパー。
【図１】
0003627159.tif 000002
【図２】
0003627159.tif 000003
【図３】
0003627159.tif 000004
【図４】
0003627159.tif 000005
【図５】
0003627159.tif 000006
【図６】
0003627159.tif 000007
【図７】
0003627159.tif 000008
【図８】
0003627159.tif 000009
【図９】
0003627159.tif 000010